(57)【要約】【課題】竪樋が角樋または丸樋のいずれにも共用可能で、上側の竪樋との間に大きな隙間が生じず、ゴミや虫などの侵入を防ぐことのできる雨水取り出し装置を提供すること。【解決手段】雨水取り出し装置１において、竪樋の挿入口３を上端に有し、挿入口の下方の底部に竪樋との接続部５を有し、挿入口から接続部に至る雨水排水流路が形成された筒状の雨水排水部７の外形形状と異なる外形形状を有する竪樋の外形形状に対応した形状を有する差し込み穴２０が表裏に貫通して形成され、雨水排水部の挿入口の形状に対応した外形形状を有する板状のアタッチメント１９が、雨水排水部上端に、差し込み穴を雨水排水部の挿入口に連通させて着脱自在に配設される。【選択図】図１
2009108511.tif 000002
【特許請求の範囲】
【請求項１】
竪樋の挿入口を上端に有し、挿入口の下方の底部に竪樋との接続部を有し、挿入口から接続部に至る雨水排水流路が形成された筒状の雨水排水部と、雨水排水部に連設一体化され、雨水排水部の雨水排水流路に連通する雨水取り出し流路が形成され、下端部に雨水取り出し流路に連通する雨水取り出し口部を有する筒状の雨水取り出し部とを備え、雨水排水部の挿入口から雨水排水流路に上側の竪樋が挿入され、接続部に下側の竪樋が接続されて上下の竪樋の間に取り付けられる雨水取り出し装置において、雨水排水部の外形形状と異なる外形形状を有する竪樋の外形形状に対応した形状を有する差し込み穴が表裏に貫通して形成され、雨水排水部の挿入口の形状に対応した外形形状を有する板状のアタッチメントが、雨水排水部上端に、差し込み穴を雨水排水部の挿入口に連通させて着脱自在に配設され、竪樋が角樋または丸樋のいずれにも共用可能とされたことを特徴とする雨水取り出し装置。
【発明の詳細な説明】
【技術分野】
【０００１】
本発明は、竪樋を流下する雨水を外部に取り出す雨水取り出し装置に関する。
【背景技術】
【０００２】
近年の水不足や地球環境保全の意識の高まりにつれて、雨水を資源として利用する考えが認識され、雨水を集水する装置が検討され、簡易な装置が提案されている。
【０００３】
たとえば、軒樋に連通する竪樋の適当な位置に取り付けられる筒状の装置で、竪樋が上部に接続される受水筒部と、受水筒部に連設され、連通する取水筒部とを備え、受水筒部の下端に、竪樋が接続される溢出雨水分岐樋が配設された雨水取り出し装置が知られている（特許文献１）。
【０００４】
特許文献１に記載された雨水取り出し装置では、受水筒部および溢出雨水分岐樋はともに円筒状であり、竪樋には丸樋が用いられ、受水筒部および溢出雨水分岐樋に接続されている。
【特許文献１】実用新案登録第３１２９４９２号公報
【発明の開示】
【発明が解決しようとする課題】
【０００５】
しかしながら、竪樋には、丸樋の他に角樋もあり、たとえ角樋が、特許文献１に記載された雨水取り出し装置の受水筒部に差し込むことができるとしても、受水筒部の内周面と角樋の外周面との間には大きな隙間が生じ、隙間は、ゴミや虫などが受水筒部に侵入する原因となり、雨水の濾過などに影響を及ぼす。角樋に対応することができるように、受水筒部を角筒状に形成しても、竪樋が丸樋の場合には、特に受水筒部のコーナー部に大きな隙間が生じ、同様な問題が起こる。上記の問題を解消するために、丸樋、角樋のそれぞれに適用可能な雨水取り出し装置を作製することが考えられるが、個別の設計が必要とされ、製造コストの高騰を招き、また、在庫管理が煩雑になるなどの問題が予想される。
【０００６】
本発明は、以上の通りの事情に鑑みてなされたものであり、竪樋が角樋または丸樋のいずれにも共用可能で、上側の竪樋との間に大きな隙間が生じず、ゴミや虫などの侵入を防ぐことのできる雨水取り出し装置を提供することを課題としている。
【課題を解決するための手段】
【０００７】
本発明は、上記の課題を解決するために、竪樋の挿入口を上端に有し、挿入口の下方の底部に竪樋との接続部を有し、挿入口から接続部に至る雨水排水流路が形成された筒状の雨水排水部と、雨水排水部に連設一体化され、雨水排水部の雨水排水流路に連通する雨水取り出し流路が形成され、下端部に雨水取り出し流路に連通する雨水取り出し口部を有する筒状の雨水取り出し部とを備え、雨水排水部の挿入口から雨水排水流路に上側の竪樋が挿入され、接続部に下側の竪樋が接続されて上下の竪樋の間に取り付けられる雨水取り出し装置において、雨水排水部の外形形状と異なる外形形状を有する竪樋の外形形状に対応した形状を有する差し込み穴が表裏に貫通して形成され、雨水排水部の挿入口の形状に対応した外形形状を有する板状のアタッチメントが、雨水排水部上端に、差し込み穴を雨水排水部の挿入口に連通させて着脱自在に配設され、竪樋が角樋または丸樋のいずれにも共用可能とされたことを特徴としている。
【発明の効果】
【０００８】
本発明によれば、竪樋の挿入口を上端に有し、挿入口の下方の底部に竪樋との接続部を有し、挿入口から接続部に至る雨水排水流路が形成された筒状の雨水排水部の外形形状と異なる外形形状を有する竪樋の外形形状に対応した形状を有する差し込み穴が表裏に貫通して形成され、雨水排水部の挿入口の形状に対応した外形形状を有する板状のアタッチメントが、雨水排水部上端に、差し込み穴を雨水排水部の挿入口に連通させて着脱自在に配設されるため、角筒状の雨水排水部に対して竪樋として丸樋を挿入する場合には、差し込み穴が丸樋の外形形状に対応した丸穴状に形成されたアタッチメントを雨水排水部上端に装着し、丸樋を差し込み穴に差し込むことにより、上側の竪樋を雨水排水部の挿入口に挿入することができる。竪樋が角樋の場合には、アタッチメントを取り外し、そのまま雨水排水部の挿入口に上側の竪樋を挿入することができる。雨水排水部が円筒状の場合にも、同様に、竪樋としての角樋または丸樋のいずれも、雨水排水部の挿入口に上側の竪樋をアタッチメントの脱着により挿入することができる。
【０００９】
したがって、雨水取り出し装置は、竪樋が角樋または丸樋のいずれにも共用可能であり、アタッチメントの差し込み穴と上側の竪樋との間にゴミや虫などが侵入する原因となる大きな隙間は生じない。雨水の濾過などへの影響を抑えることができる。
【発明を実施するための最良の形態】
【００１０】
図１、図２は、それぞれ、本発明の雨水取り出し装置の一実施形態を示した分解斜視図、縦断面図である。
【００１１】
図１および図２に示した雨水取り出し装置１は、上側の竪樋２の挿入口３を上端に有し、挿入口３の下方の底部に下側の竪樋４との接続部５を有し、挿入口３から接続部５に至る雨水排水流路６が形成された角筒状の雨水排水部７と、雨水排水部７の雨水排水流路６に連通する雨水取り出し流路８が形成され、下端部に雨水取り出し流路８に連通する雨水取り出し口部９を有する筒状の雨水取り出し部１０とを備えている。雨水取り出し部１０は、雨水排水部７に連設一体化され、横断面形状が略半楕円形状とされている。
【００１２】
雨水排水部７では、竪樋２が挿入口３から雨水排水流路６の上端部付近に挿入される。挿入口３の形状は、雨水排水部７の外形形状に対応した、相似する多角形状とされている。
【００１３】
雨水排水部７が底部に有する竪樋４との接続部５には、竪樋４が角樋の場合、角樋上端部の外周面部と嵌合可能な角樋接続面部５ａと、竪樋４が丸樋の場合、丸樋上端部の内周面部と嵌合可能な丸樋接続面部５ｂとが配設されている。また、接続部５には、底部から雨水排水部７の内部に上方に延出された円筒状の壁部５ｃが配設されている。壁部５ｃの外寸は丸樋接続面部５ｂの外寸より若干小さくされている。
【００１４】
雨水取り出し部１０では、円筒状の雨水取り出し口部９が底部から下方に延出されている。雨水取り出し口部９の外周面には、接続するホース１１が抜け外れないようにリブまたは溝９ａが設けられている。雨水取り出し部１０と雨水排水部７とは、底部から内部に立設された堰１２によって、雨水取り出し流路８と雨水排水流路６とを連通させつつ、区画している。堰１２によって区画された雨水取り出し部１０の内部には、雨水を浄水するためのゴミ除去部材、濾過材などを有するフィルター１３が交換自在に配設されている。
【００１５】
このような雨水取り出し装置１は、竪樋２の下端部が雨水排水部７の上端の挿入口３を通じて雨水排水流路６に挿入され、竪樋４の上端部が接続部５に接続されて、上下の竪樋２、４の間に取り付けられる。このとき、上側の竪樋２の下端部は、雨水排水流路６の上端部付近に配置される。また、雨水取り出し部１０の下端部の雨水取り出し口部９には、その外側に、ホース１１の上端部が嵌入または挿入されて、雨水取り出し部１０は、適所に配置された雨水タンクにホース１１を介して連通される。
【００１６】
上側の竪樋２から排水される雨水は、雨水排水部７に流下する。流下した雨水は、堰１２が設けられていることから直接雨水取り出し部１０に流出せず、堰１２および接続部５に配設された壁部５ｃの存在によって雨水排水部７内に溜まっていく。水面が壁部５ｃの高さを越えると、雨水は、壁部５ｃの内部に流れ込み、接続部５を経由して下側の竪樋４に流出し、排水される。このように、雨水取り出し装置１では、底部から内部に堰１２が立設され、雨水排水部７と雨水取り出し部１０とが区画され、雨水排水部７が接続部５に底部から上方に延出された壁部５ｃを備えているので、雨水排水部７において排水量をコントロールすることができ、排水溝などの排水能力を考慮して雨水を適当量に調節して排水することができる。
【００１７】
雨水排水部７に溜まる雨水の水面が堰１２の高さを越えると、雨水が越流し、雨水取り出し部１０に流れ込む。雨水取り出し部１０に流れ込んだ雨水は、フィルター１３によってゴミが除去され、濾過されて浄化され、資源用の水として雨水取り出し口部９を通じて雨水タンクに導かれる。このように、雨水取り出し装置１では、雨水排水部７と雨水取り出し部１０とが連通しつつも、堰１２によって区画されているので、排水量を一定量確保しながら、水資源として再利用する雨水を必要量取り出すことができる。竪樋２、４の排水性能および雨水取り出し装置１の取水性能が良好に実現される。
【００１８】
また、雨水取り出し装置１では、雨水取り出し部１０の上端が、雨水排水部７から離れるにしたがって下方に傾斜し、このように下方傾斜する雨水取り出し部１０の上端に、略半楕円形状を有する蓋１４が着脱自在に装着されている。雨水取り出し部１０の上端に装着された状態では、蓋１４は、雨水取り出し部１０の上端と同一方向に下方傾斜して配置される。
【００１９】
一方、雨水排水部７の上端には、角筒状の雨水排水部７の外形形状に対応する外形形状を有する縁部材１５が着脱自在に装着されている。縁部材１５には、竪樋２の外形形状に対応した多角形状の形状を有し、竪樋２の挿入を可能にした、雨水排水部７の上端の挿入口３の形状にも対応する形状を有する開口１６が形成され、縁部材１５が雨水排水部７に装着された状態では、開口１６が、雨水排水部７の上端の挿入口３に連通する。
【００２０】
このような蓋１４および縁部材１５は、一体的に形成されている。一体化された蓋１４および縁部材１５の裏面縁部には、外周に沿って下方に突出するリブ１７が形成され、雨水取り出し部１０および雨水排水部７の上端に嵌着可能とされている。雨水取り出し装置１は、一般にポリカーボネートなどの合成樹脂製であり、リブ１７を雨水取り出し部１０および雨水排水部７の上端内側へ嵌め込むことにより、蓋１４、縁部材１５は、それぞれ、雨水取り出し部１０、雨水排水部７に十分に保持され、風圧などを受けても取り外れにくくなる。もちろん、蓋１４および縁部材１５は取り外しも可能であり、ドライバーなどの治具を蓋１４または縁部材１５のいずれか一方の下端から雨水取り出し部１０または雨水排水部７の上端との間に差し込むなどによって、容易に取り外すことができる。場合によっては人の手指によって取り外すこともできる。蓋１４を取り外したとき、雨水取り出し部１０の内部に配設したフィルター１３の交換や内部の洗浄を行うことができる。
【００２１】
蓋１４および縁部材１５の装着により、雨水取り出し装置１と竪樋２、４との一体感が増し、特に、縁部材１５の装着によって、竪樋２が接続される雨水排水部７の上端を美麗に納めることができ、雨水取り出し装置１の外観が良好となる。また、一体化された蓋１４および縁部材１５は、雨水取り出し部１０の上端への蓋１４の装着および雨水排水部７の上端への縁部材１５の装着を同時に行うことを可能とし、装着が簡便となる。
【００２２】
なお、蓋１４は、縁部材１５側の端部において縁部材１５に上下に回動自在に軸支させることもできる。この場合、フィルター１３の交換や雨水取り出し部１０の内部の洗浄を、縁部材１５は雨水排水部７の上端に装着したまま、蓋１４を上方に回動させて開けるだけで行うことができ、作業性が良好となる。
【００２３】
縁部材１５の上端部には、開口１６の内周に沿って開口１６の内側に若干突出する平らな片状でかつ環状のフランジ１８が配設されている。フランジ１８は、角筒状の雨水排水部７の上端の挿入口３に挿入する上側の竪樋２が、雨水排水部７の外形形状と異なる外形形状を有する丸樋２ａを挿入する際に用いられるアタッチメント１９を装着するために設けられている。
【００２４】
アタッチメント１９は、竪樋２の挿入を可能にした縁部材１５の開口１６の形状に対応し、雨水排水部７の上端の挿入口３の形状に対応した外形形状を有する板材であり、中央部には、丸樋２ａの外形形状に対応した略円形状の差し込み穴２０が表裏に貫通して形成されている。
【００２５】
角筒状の雨水排水部７の挿入口３に外形形状の異なる丸樋２ａを竪樋２として挿入する際には、図３に示したように、アタッチメント１９を縁部材１５の上方から開口１６に挿入し、外周縁部をフランジ１８上に載置して係止する。アタッチメント１９は、雨水取り出し装置１と同様にポリカーボネートなどの合成樹脂製とすることができ、外周面が縁部材１５の上端部内周面に接触することにより嵌合などが可能となり、装着状態が安定に保持される。
【００２６】
このように、アタッチメント１９を装着した後、上側の竪樋２である丸樋２ａをアタッチメント１９の差し込み穴２０に差し込み、縁部材１５の開口１６を介して雨水排水部７の上端の挿入口３に挿入することができる。差し込み穴２０は、丸樋２ａの外形形状に対応しているため、差し込み穴２０と丸樋２ａの外周面との間に大きな隙間が生じることはなく、ゴミや虫などの侵入を防ぐことができる。したがって、雨水の濾過などへの影響を抑えることができる。
【００２７】
下側の竪樋４については、丸樋４ａの場合、その上端部の内周面部を、雨水排水部７の底部の接続部５に配設された丸樋接続面部５ｂに外側より嵌合させて接続することができる。雨水取り出し装置１は、雨水排水部７が角筒状であっても、このように、竪樋２、４としての上下の丸樋２ａ、４ａの間に簡便に取り付け可能となっている。
【００２８】
竪樋２が、図４に示したように、角樋２ｂの場合には、アタッチメント１９を縁部材１５に装着せず、角樋２ｂをフランジ１８の内側の縁部材１５の開口１６に差し込み、雨水排水部７の上端の挿入口３に挿入することができる。アタッチメント１９の装着は、竪樋２の外形形状に応じて適宜行うことができ、アタッチメント１９は、縁部材１５に対して着脱自在である。下側の竪樋４である角樋４ｂは、その上端部の外周面部を、雨水排水部７の底部の接続部５に配設された角樋接続面部５ａの内側に嵌合させて接続することができる。
【００２９】
上記の通り、雨水取り出し装置１は、上下の竪樋２、４が丸樋２ａ、４ａ、角樋２ｂ、４ｂのいずれを問わず、どちらの間にも取り付け可能であり、しかも取り付けは簡便であり、竪樋２、４が丸樋２ａ、４ａ、角樋２ｂ、４ｂのいずれにも共用となっている。丸樋、角樋に対し、個別の雨水取り出し装置１を作製しなくとも、雨水取り出し装置１を取り付けることが可能となり、製造コストの低減、在庫管理の煩雑さの軽減などが図られる。
【００３０】
なお、アタッチメント１９を雨水排水部７の上端に係止するフランジ１８は、雨水排水部７の上端に配設することも可能である。この場合、フランジ１８は、雨水排水部７に一体的に形成することができ、挿入口３は、フランジ１８の内側に形成される。
【００３１】
また、雨水排水部７が円筒状の場合には、本発明の雨水取り出し装置では、たとえば、上記の雨水取り出し装置１において、縁部材１５やアタッチメント１９の外形形状が略円形形状に、アタッチメント１９の差し込み穴２０が角樋の外形形状に対応する多角形形状に、それぞれ変更するだけでよく、雨水取り出し装置が、竪樋が角樋または丸樋のいずれにも共用となることに変わりはない。アタッチメントの差し込み穴と上側の竪樋との間にゴミや虫などが侵入する原因となる大きな隙間は生じず、雨水の濾過などへの影響を抑えることができる。
【００３２】
さらにまた、図１および図２に示した雨水取り出し装置１では、蓋１４は、上端部に下方にくぼみ、一段低くなった凹部２１を有している。凹部２１には、雨水排水部７から離れた位置に表裏を貫通する排水孔２２が形成されている。蓋１４が雨水取り出し部１０の上端に装着された状態では、排水孔２２は、雨水取り出し部１０の雨水取り出し流路８に連通する。縁部材１５には、上端周縁部に、開口１６に向かって下方に傾斜する傾斜面２３が形成されている。
【００３３】
このため、雨水取り出し装置１では、図３に示したように、降雨時に蓋１４の上面に降り注ぐ雨を、雨水取り出し部１０の上端と同一方向に下方傾斜する蓋１４の凹部２１内を排水孔２２に向かって流し、排水孔２２から雨水取り出し部１０の雨水取り出し流路８に流し落とすことができる。したがって、雨水取り出し部１０の側面への雨垂れは生じにくく、雨垂れの筋がつきにくくなり、雨垂れにともなう雨水取り出し装置１の側面の汚れを防ぐことができる。
【００３４】
また、降雨時に縁部材１５の上端に降り注ぐ雨を下方に傾斜する傾斜面２３によって、縁部材１５の上面に貯留させることなくアタッチメント１９に向けて流し落とすことができる。したがって、縁部材１５の上端からの雨垂れが生じにくく、雨水排水部７の側面にも雨垂れの筋がつきにくくなり、雨水取り出し装置１の側面の汚れをより一層防ぐことができる。
【００３５】
アタッチメント１９の差し込み穴２０は、上記の通り、竪樋２の外形形状に対応した形状を有しているが、通常、竪樋２の気温などの外部環境にともなう変形などを見越して設計され、竪樋２が差し込み穴２０に密着することは稀であり、差し込み穴２０と竪樋２との間に、ゴミや虫などは侵入することのできないわずかな隙間が形成されるので、このわずかな隙間を通じて、アタッチメント１９の上面に流れ落ちた雨水の少なくとも一部は、雨水排水部７の上端の挿入口３に流し落とすことができる。
【００３６】
アタッチメント１９を装着しない場合には、図４に示したように、フランジ１８と竪樋２との間に上記と同様なわずかな隙間が形成されるので、傾斜面２３によって流し落とされる雨水は、そのわずかな隙間を通じて雨水排水部７の上端の挿入口３に流し落とすことができる。アタッチメント１９を装着しない場合にも、装着した場合と同様に、縁部材１５の上端からの雨垂れが生じにくく、雨水排水部７の側面にも雨垂れの筋がつきにくくなり、雨水取り出し装置１の側面の汚れをより一層防ぐことができる。
【図面の簡単な説明】
【００３７】
【図１】本発明の雨水取り出し装置の一実施形態を示した分解斜視図である。
【図２】図１に示した雨水取り出し装置の縦断面図である。
【図３】図１および図２に示した雨水取り出し装置を竪樋である上下の丸樋の間に取り付けた状態を示した斜視図である。
【図４】図１および図２に示した雨水取り出し装置を竪樋である上下の角樋の間に取り付けた状態を示した斜視図である。
【符号の説明】
【００３８】
１  雨水取り出し装置
２  竪樋
２ａ  丸樋
２ｂ  角樋
３  挿入口
４  竪樋
４ａ  丸樋
４ｂ  角樋
５  接続部
６  雨水排水流路
７  雨水排水部
８  雨水取り出し流路
９  雨水取り出し口部
１０  雨水取り出し部
１９  アタッチメント
２０  差し込み穴
【図２】
2009108511.tif 000003
【図１】
2009108511.tif 000004
【図３】
2009108511.tif 000005
【図４】
2009108511.tif 000006